(57)【要約】【課題】携帯可能な保安灯として使用可能なスイッチカバーおよびこのスイッチカバーを具備するスイッチ装置を提供する。【解決手段】スイッチカバー１は、揺動可能な操作部１１を有するスイッチ本体１０の操作部１１に背面２ｂ側で揺動可能にかつ着脱可能に取り付けられ、前面２ａ側が主操作部に形成された略箱状の操作体２と、操作体２の背面２ｂ側に配設された光源３と、操作体２の背面２ｂ側に配設され、光源３に電力を供給する電源装置４と、光源３と電源装置４の電気的接続をオンオフするスイッチ手段５とを具備している。【選択図】図２
2008166150.tif 000002
【特許請求の範囲】
【請求項１】
揺動可能な操作部を有するスイッチ本体の前記操作部に背面側で揺動可能にかつ着脱可能に取り付けられ、前面側が主操作部に形成された略箱状の操作体と；
この操作体の背面側に配設された光源と；
前記操作体の背面側に配設され、光源に電力を供給する電源装置と；
光源と電源装置の電気的接続をオンオフするスイッチ手段と；
を具備していることを特徴とするスイッチカバー。
【請求項２】
操作体は、前面に孔が形成され、背面側に前記孔に出射面が対向するように導光部材が配設されており、光源からの放射光が前記導光部材に導光されて前記孔から出射されるように光源を前記導光部材の入射面側に配設していることを特徴とする請求項１記載のスイッチカバー。
【請求項３】
前記孔は、前記スイッチ本体の操作部に対向するように操作体の前面に形成されており、前記スイッチ本体の操作部の揺動に応じて前記スイッチ本体から出射される出射光が前記孔から直接的に出射されることを特徴とする請求項２記載のスイッチカバー。
【請求項４】
中央部に縦長な取付け用開口部を有し、この開口部に縦長方向に少なくとも３個の配線器具を取付け可能な取付枠と；
内部にスイッチ機構および揺動可能な操作部を有し、取付枠の取付け用開口部の縦長方向の中央部に配設されたスイッチ本体と；
中央部に取付枠の取付け用開口部に対応した縦長の窓孔を有し、この窓孔から前記取付け用開口部に配設されたスイッチ本体を露出させながら取付枠を覆うように取付枠に取り付けられたアダプタと；
外形がアダプタの窓孔に略嵌り合う大きさに形成され、スイッチ本体のスイッチ機構を操作可能にスイッチ本体の操作部に背面側で揺動可能にかつ着脱可能に取り付けられるとともに、背面側であってスイッチ本体が干渉しない箇所に光源および電源装置の主たる部分を収納している照明機能を備えた請求項１ないし３いずれか一記載のスイッチカバーと；
を具備していることを特徴とするスイッチ装置。
【発明の詳細な説明】
【技術分野】
【０００１】
本発明は、着脱可能なスイッチカバーおよびこのスイッチカバーを配設するスイッチ装置に関する。
【背景技術】
【０００２】
保安灯は、廊下や階段などの足元を照らす常夜灯、停電時などの非常用光源または門柱灯などの屋外用照明灯などとして使用され、その用途は多岐に亘っている。近年、保安灯は、停電や地震などの災害時の携帯電灯としてのニーズが高まってきている。そして、コンセントに脱着するプラグ刃を備えた携帯可能な保安灯が提供されている(例えば非特許文献１参照。)。この保安灯は、コンセントに差し込んだ状態で、停電時に自動点灯する非常灯機能、周囲が暗くなったときに自動点灯するナイトライト機能を有し、コンセントから取り外すことにより携帯電灯として利用できるものである。
【０００３】
また、光源となる発光ダイオードを有する球形の軟質プラスチックカバーを縫いぐるみなどの置物に着脱可能に取り付けた地震検知灯が提案されている（特許文献１参照。）。この地震検知灯は、暗闇の中で地震が発生したときに発光ダイオードが点灯することにより軟質プラスチックカバーが標識灯として機能するとともに、軟質プラスチックカバーを縫いぐるみなどの置物から取り外すことにより照明灯（携帯電灯）として使用できるものである。
【非特許文献１】東芝配線器具・インターホン・住宅用火災警報器・テレビカメラ  ２００６年カタログ（Ｐ．配−５５）
【特許文献１】特開２００５−２６８２０７号公報（第６頁、第４図）
【発明の開示】
【発明が解決しようとする課題】
【０００４】
非特許文献１の保安灯は、コンセントから突出しているので、掃除しているときに掃除機のホースなどが当たり、歩行中に歩行者の足が接触するなどの不具合を起こすことがあった。また、特許文献１の地震検知灯は、縫いぐるみなどの置物が日常生活では部屋の装飾や雰囲気作りの役目を果たすものであり、そのような置物に関心の無い者にはすんなり備えられないものである。すなわち、保安灯は、日常生活において、干渉物とならなく、実用に供するものが望まれている。
【０００５】
本発明は、携帯可能な保安灯として使用可能なスイッチカバーおよびこのスイッチカバーを具備するスイッチ装置を提供することを目的とする。
【課題を解決するための手段】
【０００６】
請求項１に記載のスイッチカバーの発明は、揺動可能な操作部を有するスイッチ本体の前記操作部に背面側で揺動可能にかつ着脱可能に取り付けられ、前面側が主操作部に形成された略箱状の操作体と；この操作体の背面側に配設された光源と；前記操作体の背面側に配設され、光源に電力を供給する電源装置と；光源と電源装置の電気的接続をオンオフするスイッチ手段と；を具備していることを特徴とする。
【０００７】
本発明および以下の各発明において、特に言及しない限り、各構成は以下による。
【０００８】
操作体は、略箱状に形成されているので、操作体の背面側は、略箱状体の底面側を示している。また、操作体は、浅い略箱状に形成されている。
【０００９】
操作体の主操作部は、手動操作される部分であることを意味する。
【００１０】
光源は、例えば発光ダイオード（ＬＥＤ）やＥＬ素子とすることができる。光源は、１個であってもよく、複数個であってもよい。また、光源からの放射光は、操作体の前面側、背面側および側面側のいずれの部分から出射されるようにしてもよい。
【００１１】
電源装置は、バッテリ、抵抗などの電流調整用素子等を有して構成される。そして、バッテリは、比較的容積が小さくて電気容量が大きい例えば水銀電池、リチウム電池などの一次電池や金属リチウム電池、ポリマーリチウム電池、電気２重層コンデンサなどの二次電池とすることができる。
【００１２】
スイッチ手段は、スライドスイッチやプッシュスイッチなどの手動式のオンオフスイッチとすることができる。また、操作体がスイッチ本体の操作部に取り付けられたときに光源と電源装置の電気的接続を機械的にオフするリミットスイッチを許容する。また、スイッチ手段は、操作体の前面側や側面側に設けてもよいが、美観や配設の容易性などの点から背面側に設けることが望ましい。
【００１３】
本発明によれば、操作体をスイッチ本体の操作部から取り外してスイッチ手段をオンにして光源を点灯させることにより、スイッチカバーは携帯保安灯として使用される。
【００１４】
請求項２に記載のスイッチカバーの発明は、請求項１記載のスイッチカバーにおいて、操作体は、前面に孔が形成され、背面側に前記孔に出射面が対向するように導光部材が配設されており、光源からの放射光が前記導光部材に導光されて前記孔から出射されるように光源を前記導光部材の入射面側に配設していることを特徴とする。
【００１５】
導光部材は、例えばプリズムであり、光ファイバを許容する。
【００１６】
導光部材は、少なくとも出射面の一部が孔（孔の入出口）に対向していればよい。すなわち、出射面が孔に挿入されている状態を包含する。
【００１７】
本発明によれば、光源からの放射光は、導光部材の入射面から導光部材の内部に入射し、出射面から出射して操作体の前面の孔から外方に出射される。したがって、光源は、操作体の背面側において、その放射光が導光部材の入射面に入射するようにしてスイッチ本体などと干渉しない所望の位置に配設することができる。
【００１８】
請求項３に記載のスイッチカバーの発明は、請求項２記載のスイッチカバーにおいて、前記孔は、前記スイッチ本体の操作部に対向するように操作体の前面に形成されており、前記スイッチ本体の操作部の揺動に応じて前記スイッチ本体から出射される出射光が前記孔から直接的に出射されることを特徴とする。
【００１９】
スイッチ本体には、操作部の揺動に応じて発光（点灯）する表示灯例えばネオン管が配設されている。そして、オンオフに対するそれぞれの揺動の両方またはいずれか一方のときに、スイッチ本体から出射光が出射される。例えば、オンの揺動に対しては、赤色光が出射され、オフの揺動に対しては、緑色光が出射される。
【００２０】
スイッチ本体の操作部と操作体の孔の間には、導光部材が介在している。「スイッチ本体から出射される出射光が孔から直接的に出射される」とは、当該出射光が導光部材を透過して前記孔から出射されることを意味し、または当該出射光が前記孔から出射されるよう導光部材が形成されていることを意味する。
【００２１】
本発明によれば、スイッチ本体のオンオフ状態を表示する表示光と、発光ダイオードからの放射光がカバーの前面の孔から出射される。
【００２２】
請求項４に記載のスイッチ装置の発明は、中央部に縦長な取付け用開口部を有し、この開口部に縦長方向に少なくとも３個の配線器具を取付け可能な取付枠と；内部にスイッチ機構および揺動可能な操作部を有し、取付枠の取付け用開口部の縦長方向の中央部に配設されたスイッチ本体と；中央部に取付枠の取付け用開口部に対応した縦長の窓孔を有し、この窓孔から前記取付け用開口部に配設されたスイッチ本体を露出させながら取付枠を覆うように取付枠に取り付けられたアダプタと；外形がアダプタの窓孔に略嵌り合う大きさに形成され、スイッチ本体のスイッチ機構を操作可能にスイッチ本体の操作部に背面側で揺動可能にかつ着脱可能に取り付けられるとともに、背面側であってスイッチ本体が干渉しない箇所に光源および電源装置の主たる部分を収納している照明機能を備えた請求項１ないし３いずれか一記載のスイッチカバーと；を具備していることを特徴とする。
【００２３】
「取付枠に取付け可能な配線器具」とは、スイッチ本体、コンセントやモジュールジャックなどである。
【００２４】
スイッチ本体が取付枠の取付け用開口部の縦長方向の中央部に配設されているので、取付枠の取付け用開口部およびアダプタの窓孔は、それぞれの縦長方向の両側が空間となっている。そして、スイッチカバーが照明機能を備えるための光源、電源装置やスイッチ手段などの構成部材が前記空間に突出するようにしてスイッチカバーの背面側に配設されても、前記構成部材は、取付枠、スイッチ本体およびアダプタなどに干渉しない。すなわち、前記空間が形成されていることにより、照明機能を備えるスイッチカバーが容易に形成される。
【００２５】
本発明によれば、スイッチカバーをスイッチ本体から取り外すことによって携帯可能な保安灯として使用することのできるスイッチ装置が提供される。
【発明の効果】
【００２６】
請求項１の発明によれば、スイッチカバーは、スイッチ本体の操作部に揺動可能にかつ着脱可能に配設されているので、通常時には、スイッチ本体をオンオフする手動操作の操作体として使用することができ、地震や台風などの停電時には、スイッチ本体から取り外すことによって携帯保安灯（携帯電灯）として使用することができる。
【００２７】
請求項２の発明によれば、導光部材を用いて光源からの放射光を操作体の前面の孔から出射させるので、光源を操作体の背面側の所望の位置に容易に配設することができ、スイッチカバーの設計裕度を向上させることができる。
【００２８】
請求項３の発明によれば、スイッチ本体の操作部のオンオフ状態を表示する表示光の出射孔と、光源からの放射光の出射孔とが操作体の前面に形成された孔に共通化されて、操作体にそれぞれの出射孔が設けられないので、スイッチカバーの外観が損なわれることを防止することができる。
【００２９】
請求項４の発明によれば、通常時にはスイッチ本体をオンオフする手動操作の操作体として使用することができ、停電などの非常時にはスイッチ本体から取り外すことによって携帯保安灯として使用可能なスイッチカバーを有するスイッチ装置を提供することができる。
【発明を実施するための最良の形態】
【００３０】
以下、本発明の一実施の形態について、図面を参照して説明する。
【００３１】
図１ないし図１０は、本発明の一実施の形態を示し、図１はスイッチカバーの概略正面図、図２はスイッチカバーの概略背面図、図３はスイッチカバーの概略縦断面図、図４は導光部材の縦断面図、図５はスイッチ本体を示し、（ａ）は概略上面図、（ｂ）は概略側面図、（ｃ）は操作体が配設された状態の概略側面図、図６はスイッチ装置の概略正面図、図７はスイッチ装置の概略下面図、図８はスイッチ本体が取り付けられた取付枠の概略正面図、図９はプレートの概略正面図、図１０は化粧枠の概略正面図である。
【００３２】
図２において、スイッチカバー１は、操作体２、光源としての発光ダイオード３，３、電源装置４、スイッチ手段としてのスライドスイッチ５および導光部材としてのプリズム６を有して構成されている。
【００３３】
操作体２は、例えばＡＢＳ樹脂からなり、長方形の浅い略箱形に形成されている。そして、図３に示すように、前面２ａの長手方向の中央部は、背面２ｂ側に突出した長方形の凹溝７に形成されている。この凹溝７の中央部において、操作体２の幅方向に長方形の孔８が形成されている。また、凹溝７の背面２ｂ側には、孔８の操作体２の幅方向の両側にそれぞれ背面２ｂから突出する突片９，９が形成されている。そして、図５（ｃ）に示すように、突片９，９がスイッチ本体１０の操作部１１に取り付けられる。
【００３４】
スイッチ本体１０は、ＪＩＳ規格（ＪＩＳ  Ｃ  ８３０４）で定められた１モジュールタイプに形成されており、図５（ａ）または図５（ｂ）に示すように、図示しないスイッチ機構が収容されるケース１２とカバー１３とを有し、これらケース１２およびカバー１３の両側にこれらを互いに固着する固定金具１４が取り付けられている。それぞれの固定金具１４には、スイッチ本体１０の側面から突出する一対の爪部１５，１５が形成されている。
【００３５】
カバー１３の前面１３ａの中央部には山形状の支持部１６が形成され、この支持部１６の両側に操作部１１が露出されている。操作部１１は、ケース１２の内部で揺動可能に配設されており、この操作部１１の揺動によってスイッチ機構の接点機構がオンオフ（開閉）されるようになっている。そして、操作部１１には、カバー１３の支持部１６を挟んで前面１３ａから突出するそれぞれ突片１７および突片１８，１８が設けられている。突片１７および突片１８，１８には、板ばね１９が組み込まれている。
【００３６】
操作体２の突片９，９は、それぞれ操作部１１の突片１７および突片１８，１８の間に挿入され、板ばね１９により押圧されて、操作部１１に固定される。そして、図５（ｃ）に示すように、操作体２の前面２ａの幅方向両側をそれぞれ押圧操作して操作体２を揺動させることにより、操作部１１が揺動されて、スイッチ機構の接点機構がオンオフされる。そして、操作体２は、幅方向両側の側面２ｃを例えば指の先端側に引っ掛けてスイッチ本体１０から持ち上げるようにすると、操作部１１から取り外れる。このように、操作体２は、スイッチ本体１０の操作部１１に背面２ｂ側の突片９，９で揺動可能にかつ着脱可能に配設されている。そして、前面２ａ側がスイッチ本体１０の操作部１１を手動操作により揺動させる主操作部に形成されている。
【００３７】
また、スイッチ本体１０は、ケース１２の内部に色光の異なる一対の表示灯例えばネオン管を配設しており、操作部１１の揺動に応じてネオン管が点灯されるように構成されている。すなわち、操作部１１の揺動に応じてスイッチ機構の接点機構がオンされると、例えば赤色光のネオン管が点灯され、同じくオフされると、例えば緑色光のネオン管が点灯される。そして、カバー１３の支持部１６の中央部には、図５（ａ）に示すように、前記赤色光および緑色光が出射される出射孔２０が設けられている。
【００３８】
スイッチ本体１０は、出射孔２０が操作体２の孔８に対向するように、操作部１１に操作体２が配設される。すなわち、操作体２の孔８は、スイッチ本体１０の操作部１１に対向するように操作体２の前面２ａに形成されている。スイッチ本体１０から出射される前記赤色光および緑色光の出射光は、操作体２の孔８から外方に出射される。そして、操作体２の前面２ａに形成された凹溝７には、図１に示すように、レンズ２１を有するレリーフカバー２２が着脱可能に配設されている。レンズ２１は、操作体２の孔８に対向して設けられている。
【００３９】
図２において、発光ダイオード３，３は、白色光などの可視光を放射する表面実装形からなり、操作体２の凹溝７の背面２ｂ側に２個が配設されている。そして、放射光が長方形の孔８側に照射されるように、接着材により背面２ｂ側に固着されている。
【００４０】
電源装置４は、リードフレーム２３，２４、バッテリ２５、リード線２６ａ，２６ｂや電流調整用の抵抗素子（図示しない。）などにより形成され、凹溝７の背面２ｂ以外の操作体２の背面２ｂ側に配設されており、発光ダイオード３，３に電力を供給するものである。
【００４１】
そして、バッテリ２５は、例えば水銀電池からなり、図３に示すように、操作体２の背面２ｂに接着材により固着されたリードフレーム２３，２４に挟み込まれるようにして、背面２ｂに接着材により固着されている。そして、リードフレーム２３，２４は、図２に示すように、それぞれリード線２６ａ，２６ｂに接続され、スライドスイッチ５を介して発光ダイオード３，３に接続されている。
【００４２】
スライドスイッチ５は、リード線２６ａ，２６ａの中間に介在し、操作体２の背面２ｂに接着材により固着されている。スライドスイッチ５は、つまみ部２７が移動されることにより、発光ダイオード３，３とバッテリ２５（電源装置４）の電気的接続をオンオフする。すなわち、スライドスイッチ５をオンにすると、バッテリ２５から図示しない抵抗素子などを介して発光ダイオード３，３に直流電源例えばＤＣ３Ｖが供給されて、発光ダイオード３，３は点灯する。また、スライドスイッチ５をオフにすると、発光ダイオード３，３とバッテリ２５の電気的接続が遮断され、発光ダイオード３，３は点灯しない。操作体２がスイッチ本体１０の操作部１１に配設されているときには、スライドスイッチ５はオフされている。
【００４３】
プリズム６は、例えばアクリル樹脂からなり、図４に示すように、上面６ａの中央部に長方形の凸部２８、この凸部２８に対応して下面６ｂの中央部に三角状の凹部２９を有する板状に形成されている。そして、図２に示すように、凸部２８および凹部２９の両側には、上面６ａおよび下面６ｂと同一面を有する取付部３０，３０が形成されている。プリズム６は、取付部３０，３０に形成された孔（図示しない。）が操作体２の背面２ｂに設けられたタボ３１，３１に嵌め込まれている。これにより、プリズム６は、操作体２の背面２ｂ側に取り付けられている。このとき、プリズム６の凸部２８が操作体２の孔８に挿入し、側面６ｂが発光ダイオード３，３に対向するようにしている。すなわち、発光ダイオード３，３は、プリズム６の側面６ｃに対向して操作体２の背面２ｂ側に配設されている。
【００４４】
プリズム６の側面６ｃは、発光ダイオード３，３からの放射光が入射される入射面であり、凸部２８の上面２８ａは、当該放射光の出射面となっている。すなわち、図４に示すように、側面６ｃから入射した発光ダイオード３，３からの放射光は、プリズム６の内部を導光し、凹部２９の傾斜面で凸部２８側に反射されて凸部２８の上面２８ａから出射される。放射光は、さらにレリーフカバー２２のレンズ２１により集光されて操作体２の前方に出射される。
【００４５】
また、プリズム６の凹部２９の傾斜面は、スイッチ本体１０の表示灯から放射され出射孔２０から出射された出射光の入射面となっている。当該出射光は、凹部２９の傾斜面で幾分屈折されるが、直接的に凸部２８内を通過して凸部２８の上面２８ａから出射される。そして、発光ダイオード３，３からの放射光と同様に、レリーフカバー２２のレンズ２１から操作体２の前方に出射される。
【００４６】
スイッチカバー１は、上述したように構成されて、図６に示すように、スイッチ装置３２をオンオフ操作する手動操作部（主操作部）として用いられる。図７において、スイッチ装置３２は、図１ないし図４において説明したスイッチカバー１、図５において説明したスイッチ本体１０、取付枠３３およびアダプタ３４を有して構成されている。このスイッチ装置３２は、壁などに埋設された配線ボックスに取り付けられるものであり、配線ボックス内に引き込まれた電源線がスイッチ本体１０の電線接続部３５に接続される。
【００４７】
取付枠３３は、ＪＩＳ  Ｃ  ８３７５規格に基づいて製造されたものであり、例えば合成樹脂または金属部材をインサート成形した合成樹脂で形成され、図８に示すように、中央部に配線器具としての１モジュールのスイッチ本体１０を縦長方向に３個取付け可能な縦長の取付け用開口部３６が形成されている。
【００４８】
そして、取付け用開口部３６の各スイッチ本体１０の取付位置に対応して、一側にはスイッチ本体１０の一側の一対の爪部１５，１５が係合される係合孔３７，３７が形成され、他側にはスイッチ本体１０の他側の一対の爪部１５，１５が弾性的に係合される係止孔３８が形成されている。なお、本実施形態では、取付枠３３は、１個のスイッチ本体１０を縦長方向の中央部の係合孔３７，３７および係止孔３８に取り付けている。
【００４９】
そして、取付枠３３の上下縁部には、取付枠３３を配線ボックスにねじ止めするためのねじが挿入される取付孔３９，３９が形成されているとともに、アダプタ３４をねじ止めするためのねじ孔４０，４０が形成されている。
【００５０】
アダプタ３４は、プレート４１および化粧枠４２からなっている。化粧枠４２は、ＪＩＳ  Ｃ  ８３０４規格に基づいて製造されている。プレート４１は、例えばＡＢＳ樹脂からなり、図９に示すように、中央部に取付枠３３の取付け用開口部３６に対応しスイッチカバー１の操作体２が進入可能とする縦長矩形状の窓孔４３が形成されているとともに、この窓孔４３の周囲に凹部４４が形成されている。そして、この凹部４４の上下縁部には、取付枠３３のねじ孔４０，４０に螺着されるねじが挿入される取付孔４５，４５が形成され、凹部４４の両側縁部には、化粧枠４２を取り付けるための複数の係止孔４６が形成されている。プレート４１は、取付孔４５，４５から取付枠３３のねじ孔４０，４０にねじが螺着されて取付枠３３を覆うように取付枠３３に取り付けられている。
【００５１】
化粧枠４２は、ＡＢＳ樹脂からなり、図１０に示すように、プレート４１の凹部４４内に係合可能とする外形状に形成され、中央部に取付枠３３の取付け用開口部３６に対応した縦長矩形状の窓孔４７が形成されている。この窓孔４７は、スイッチカバー１の操作体２が略嵌り合う大きさに形成されている。そして、化粧枠４２の背面の両側縁部には、プレート４１の複数の係止孔４６に係止される複数の係止爪（図示しない。）が形成されている。そして、化粧枠４２は、窓孔４７から取付枠３３の取付け用開口部３６に配設されたスイッチ本体１０を露出させながらプレート４１の係止孔４６に係止されてプレート４１に取り付けられている。
【００５２】
このように構成されたスイッチ装置３２は、図６に示すように、スイッチカバー１の外形（操作体２の外形）が化粧枠４２の窓孔４７に略嵌り合う大きさに形成され、スイッチカバー１の前面２ａが化粧枠４２の前面４２ａから幾分突出している。これにより、スイッチカバー１は、前面２ａの幅方向両側が押圧されることにより揺動可能となっている。そして、スイッチカバー１の揺動に応じてスイッチ本体１０の操作部１１が揺動することにより、スイッチ本体１０の内部のスイッチ機構がオンオフし、例えば照明負荷がオンオフ制御される。そして、スイッチカバー１は、縦長方向（長手方向）の側面２ｃ側を指の先端側などで持ち上げることにより、スイッチ装置３２から容易に取り外されるものである。
【００５３】
そして、スイッチ装置３２は、図７に示すように、取付枠３３の縦長方向の中央部に１個のスイッチ本体１０が配設されている。これにより、スイッチ装置３２の内部は、縦長方向の中央部の両側が空間となっている。そして、スイッチカバー１の背面２ｂ側に配設されたスライドスイッチ５、リードフレーム２３，２４およびバッテリ２５などは、前記空間に露出するように略箱状の操作体２に収納されている。それらの構成部材は、本実施の形態では、図３に示すように、操作体２内に収納されるように配設しているが、これに限らず、例えばバッテリ２５を大形の大容量のものとし、操作体２から突出されてもよい。あるいは、バッテリ２５を二次電池としてバッテリ２５の充電装置を前記空間に露出する操作体２の背面２ｂ側に設けるようにしてもよい。これらの場合であっても、操作体２の揺動に際して照明機能を構成する主たる前記構成部材がスイッチ本体１０、取付枠３３およびアダプタ３４などに干渉しないものである。このように、前記空間が形成されていることにより、照明機能を備えるスイッチカバー１が容易に構成される。
【００５４】
なお、取付枠３３は、図７中、スイッチ本体１０の下側に別のスイッチ本体１０を配設することができる。また、スイッチ本体１０は、取付枠３３の縦長方向の上側、下側に配設されてもよいが、操作体２の前面２ａに形成される孔８の位置が変更されることにより、前面２ａ側の意匠性などが損なわれる点から縦長方向の中央部に配設されることが好ましい。
【００５５】
次に、本発明の一実施の形態の作用について説明する。
【００５６】
通常時、スイッチ装置３２は、スイッチカバー１が手動操作により揺動されると、この揺動に応じてスイッチ本体１０の操作部１１が揺動し、スイッチ機構の接点機構がオンオフする。これにより、スイッチ装置３２に接続されている照明負荷は、点灯または消灯する。すなわち、スイッチカバー１は、照明負荷をオンオフする手動操作の操作体として使用される。スイッチカバー１は、スイッチ装置３２の一部分を構成し、壁などから突出している部位が小さいので、日常生活において干渉物となりにくく、実用に供している。
【００５７】
そして、例えば夜間に地震や台風などによって停電したときに、スイッチカバー１をスイッチ装置３２から取り外す。そして、操作体２の背面２ｂ側に設けられたスライドスイッチ５をオンすると、バッテリ２５を電源として発光ダイオード３，３が点灯し、その放射光が前面２ａのレリーフカバー２２のレンズ２１から出射される。これにより、スイッチカバー１を携帯電灯として使用することができる。
【００５８】
そして、スイッチカバー１は、操作体２の前面２ａ側に形成した孔８（レリーフカバー２２のレンズ２１）からスイッチ本体１０からのオンオフ状態を表示する赤色光または緑色光の出射光（表示光）が出射されるとともに、発光ダイオード３，３からの放射光も前記孔８から出射されるように構成されている。したがって、操作体２に、スイッチ本体１０から出射される出射光の出射孔と、発光ダイオード３，３からの放射光が出射される出射孔がそれぞれ設けられないので、スイッチカバー1の外観が損なわれることを防止することができるとともに、スイッチカバー１を安価に形成することができる。
【００５９】
そして、発光ダイオード３，３からの放射光をプリズム６により導光して操作体２の前面２ａ側に形成した孔８（レリーフカバー２２のレンズ２１）から出射させるので、発光ダイオード３，３を操作体２の背面２ｂ側の所望の位置に容易に配設することができて、スイッチカバー１の設計裕度を向上させることができる。
【図面の簡単な説明】
【００６０】
【図１】本発明の一実施の形態を示すスイッチカバーの概略正面図。
【図２】同じく、スイッチカバーの概略背面図。
【図３】同じく、スイッチカバーの概略縦断面図。
【図４】同じく、導光部材の縦断面図。
【図５】同じく、スイッチ本体を示し、（ａ）は概略上面図、（ｂ）は概略側面図、（ｃ）は操作体が配設された状態の概略側面図。
【図６】同じく、スイッチ装置の概略正面図。
【図７】同じく、スイッチ装置の概略下面図。
【図８】同じく、スイッチ本体が取り付けられた取付枠の概略正面図。
【図９】同じく、プレートの概略正面図。
【図１０】同じく、化粧枠の概略正面図。
【符号の説明】
【００６１】
１…スイッチカバー
２…操作体
３…光源としての発光ダイオード
4…電源装置
５…スイッチ手段としてのスライドスイッチ
６…導光部材としてのプリズム
８…孔
１０…スイッチ本体
３３…取付枠
３４…アダプタ
４１…アダプタを構成するプレート
４２…アダプタを構成する化粧枠
【図１】
2008166150.tif 000003
【図２】
2008166150.tif 000004
【図３】
2008166150.tif 000005
【図４】
2008166150.tif 000006
【図５】
2008166150.tif 000007
【図６】
2008166150.tif 000008
【図７】
2008166150.tif 000009
【図８】
2008166150.tif 000010
【図９】
2008166150.tif 000011
【図１０】
2008166150.tif 000012